(57)【要約】【課題】  たとえば紙飛行機形状を呈しこれを飛ばすことにより、シャボン玉を連続的に発生させることができ、興趣性の高いシャボン玉発生玩具として効果的なシャボン玉発生装置付き飛行体玩具を提供する。【解決手段】  飛行体玩具としての紙飛行機１は、シャボン玉を連続的に発生させることができるシャボン玉発生装置１０を備えている。このシャボン玉発生装置はシャボン玉発生穴１３を形成する環状本体１２を備え、この環状本体の両側面には放射方向に向かう複数のリブ１４が突設され、これらのリブが環状本体の外周面部分にも形成されることにより、それぞれのリブ間にシャボン玉発生穴に連続するシャボン玉液保持用の溝部１５が形成されている。【選択図】  図１
2006141967.tif 000002
【特許請求の範囲】
【請求項１】
シャボン玉を連続的に発生させることができるシャボン玉発生装置を備えてなる飛行体玩具であって、
前記シャボン玉発生装置はシャボン玉発生穴を形成する環状本体を備え、この環状本体には複数のリブが突設され、これらのリブ間に前記シャボン玉発生穴に連続するシャボン玉液保持用の溝部が形成されていることを特徴とするシャボン玉発生装置付き飛行体玩具。
【請求項２】
請求項１記載のシャボン玉発生装置付き飛行体玩具において、
シャボン玉液保持用の溝部は、環状本体の少なくとも両側面においてシャボン玉発生穴に対して放射方向に向かって形成された複数のリブによって形成されていることを特徴とするシャボン玉発生装置付き飛行体玩具。
【請求項３】
請求項１または請求項２記載のシャボン玉発生装置付き飛行体玩具において、
飛行体玩具は、たとえば飛行機、飛行船、気球、円盤等の形状を呈する玩具、またはフリスビー等の飛行玩具などのいずれかであり、
シャボン玉発生装置は、上記玩具の適宜の位置に設けられていることを特徴とするシャボン玉発生装置付き飛行体玩具。
【発明の詳細な説明】
【技術分野】
【０００１】  本発明は、たとえば飛行機、飛行船、気球、円盤等の形状を呈する玩具、またはフリスビー等の飛行玩具などといった飛行体玩具であって、該飛行体玩具を飛ばすことによりシャボン玉を連続的に発生させることができ、興趣性の高いシャボン玉発生玩具として用いて好適なシャボン玉発生装置付き飛行体玩具に関する。
【背景技術】
【０００２】  従来から子供たちがシャボン玉を発生させて遊ぶシャボン玉発生玩具として、従来から種々のものが提案されている。
最も一般的に知られているものとしては、吹口から空気を吹き込むと、シャボン玉液の液膜が膨らんでシャボン玉が連続的に発射されるように構成した、子供等が片手で持って使用するシャボン玉吹出し玩具がある。そして、このようなシャボン玉吹出し玩具などは従来から種々の改良が施され、シャボン玉を連続的に、しかも確実に発生させ、子供たちが楽しく遊ぶことができるような対策が講じられている（例えば、特許文献１参照）。【０００３】
【特許文献１】  特開２００１−２４６１８０
【発明の開示】
【発明が解決しようとする課題】
【０００４】  ところで、上述した従来のシャボン玉発生玩具は、空気の吹き込みでシャボン玉を発生させる単純なものが多く、面白味に欠ける場合もあり、子供たちが、より一層興味をもって遊ぶことができるような何らかの対策を講じることが望まれている。【０００５】  本発明はこのような事情に鑑みてなされたものであり、飛ばせて遊ぶことにより、シャボン玉を連続的に発生させることができ、興趣性の高いシャボン玉発生玩具として用いて好適なシャボン玉発生装置付き飛行体玩具を得ることを目的とする。
【課題を解決するための手段】
【０００６】  このような目的に応えるために本発明（請求項１記載の発明）に係るシャボン玉発生装置付き飛行体玩具は、シャボン玉を連続的に発生させることができるシャボン玉発生装置を備えてなる飛行体玩具であって、前記シャボン玉発生装置はシャボン玉発生穴を形成する環状本体を備え、この環状本体には複数のリブが突設され、これらのリブ間に前記シャボン玉発生穴に連続するシャボン玉液保持用の溝部が形成されていることを特徴とする。【０００７】  本発明（請求項２記載の発明）に係るシャボン玉発生装置付き飛行体玩具は、請求項１記載のシャボン玉発生装置付き飛行体玩具において、シャボン玉液保持用の溝部は、環状本体の少なくとも両側面においてシャボン玉発生穴に対して放射方向に向かって形成された複数のリブによって形成されていることを特徴とする。【０００８】  本発明（請求項３記載の発明）に係るシャボン玉発生装置付き飛行体玩具は、請求項１または請求項２記載のシャボン玉発生装置付き飛行体玩具において、飛行体玩具は、たとえば飛行機、飛行船、気球、円盤等の形状を呈する玩具、またはフリスビー等の飛行玩具などのいずれかであり、シャボン玉発生装置は、上記玩具の適宜の位置に設けられていることを特徴とする。【０００９】  本発明によれば、飛行体玩具である紙飛行機の主翼部等に設けたシャボン玉発生装置をシャボン玉液に浸漬し、またはシャボン玉発生装置にシャボン玉液を付着させ、そのシャボン玉液保持用の溝部にシャボン玉液を保持させた状態で、紙飛行機を飛ばすことにより、紙飛行機が飛んだ後に多数のシャボン玉を連続的に発生させて飛散させることができる。したがって、このようなシャボン玉発生装置付き飛行体玩具である紙飛行機は、これを飛ばして遊ぶことに加えて、見て楽しむことができる効果を発揮させることができるのであり、子供等が興味をもって楽しく遊べる興趣性の高いシャボン玉発生装置付きの玩具を構造簡単にして安価に得ることができるのである。【００１０】  ここで、上記の飛行体玩具としては、たとえば飛行機、飛行船、気球、円盤等の形状を呈する玩具、またはフリスビー等の飛行玩具などがあり、適宜のものであればよい。
【発明の効果】
【００１１】  以上説明したように本発明に係るシャボン玉発生装置付き飛行体玩具によれば、たとえば紙飛行機、あるいは飛行船、気球、円盤等といった飛行体玩具を飛ばして遊ぶ際に、シャボン玉を連続的に発生させることが可能で、見て楽しむことができる効果があり、子供等が興味をもって楽しく遊べる興趣性の高いシャボン玉発生装置付きの玩具を構造簡単にして安価に提供することができるという優れた効果を奏する。
【発明を実施するための最良の形態】
【００１２】  図１ないし図３は本発明に係るシャボン玉発生装置付き飛行体玩具の一実施の形態を示す。これらの図において、符号１はシャボン玉発生装置付き飛行体玩具としての紙飛行機であり、周知の通りの形状、構造を有している。そして、この紙飛行機１の主翼部２の左、右両側の２箇所には、本発明を特徴づけるシャボン玉発生装置１０が設けられている。【００１３】  前記シャボン玉発生装置１０は、紙飛行機１を飛ばしたときに、シャボン玉を連続的に発生させることができるものであり、シャボン玉発生穴１３を形成する環状本体１２を備え、アーム部１１を介して紙飛行機１の主翼部２に付設されている。前記環状本体１２のの両側面には放射方向に向かう複数のリブ１４が突設され、これらのリブ１４が前記環状本体１２の外周面部分にも連続して形成されることにより、それぞれのリブ１４，１４間にシャボン玉発生穴１３に連続するシャボン玉液保持用の溝部１５が形成されている。【００１４】  このシャボン玉液保持用の溝部１５は、シャボン玉液を該発生装置１０に付けたときにこのシャボン玉液を保持し、シャボン玉発生穴１３に対して順次シャボン玉液を供給することにより、シャボン玉発生穴１３でシャボン玉を発生させるためのものであり、シャボン玉発生穴１３に対して放射方向に形成されたリブ１４，１４によって放射方向に延びて形成されている。なお、この実施の形態では、リブ１４を環状本体１２の両側面および内、外周面に連続して形成している状態を図示したが、これに限定されない。要は、シャボン玉発生穴１３に対してシャボン玉液を順次供給できるようなシャボン玉液保持用の溝部を形成できればよいものである。【００１５】  以上の構成によるシャボン玉発生装置付き紙飛行機１において、主翼部２の各シャボン玉発生装置１０をシャボン玉液に浸漬し、またはシャボン玉液を付着させ、その状態で紙飛行機１を飛ばすことにより、紙飛行機１が飛んだ後に多数のシャボン玉を連続的に発生させて飛散させることができる。したがって、このようなシャボン玉発生装置１０付き紙飛行機１は、紙飛行機を飛ばして遊ぶことに加えて、見て楽しむことができる効果を発揮させることができるのであり、子供等が興味をもって楽しく遊べる興趣性の高いシャボン玉発生装置付きの玩具を構造簡単にして安価に提供することができるのである。【００１６】  なお、本発明は上述した実施の形態で説明した構造には限定されず、シャボン玉発生装置付き飛行体玩具である紙飛行機１やシャボン玉発生装置１０を構成する各部の形状、構造等を適宜変形、変更し得ることはいうまでもない。【００１７】  たとえばシャボン玉発生装置１０の形状、構造なども適宜変形できるものであり、要はシャボン玉発生穴１３とこれにシャボン玉液を順次供給することができるシャボン玉液保持用の溝部１５をもち、シャボン玉発生穴１３にシャボン玉液を順次導いてシャボン玉を連続的に発生させることができる構造であればよい。【００１８】  また、上述した紙飛行機１のシャボン玉発生装置１０に対して、シャボン玉液を付着するための方法としても、該シャボン玉発生装置１０をシャボン玉液に浸漬させたり、あるいは適宜の方法で該シャボン玉発生装置１０にシャボン玉液���付着させることができるものであれば、どのような方法でもよい。【００１９】  さらに、上述した実施の形態では、飛行体玩具として紙飛行機１を例示して説明したが、本発明はこれに限定されない。たとえば飛行機、飛行船、気球、円盤等の形状を呈する飛行体玩具、またはフリスビー（商標）等として知られるものを始めとして飛ばして遊ぶことができる飛行玩具等でもよく、要は、飛行体玩具の一部にシャボン玉発生装置１０を付設して、シャボン玉を連続的に発生させることができるものであればよい。
【図面の簡単な説明】
【００２０】
【図１】  本発明に係るシャボン玉発生装置付き飛行体玩具としてのシャボン玉発生装置付き紙飛行機の一実施の形態を示し、紙飛行機を飛ばしてシャボン玉を連続して発生させたときの概略斜視図である。
【図２】  図１のシャボン玉発生装置付き紙飛行機において要部であるシャボン玉発生装置を拡大して示す概略斜視図である。
【図３】  （ａ），（ｂ）は図１、図２のシャボン玉発生装置付き紙飛行機において用いたシャボン玉発生装置を拡大して示す要部正面図および側面図である。
【符号の説明】
【００２１】  １…飛行体玩具である紙飛行機、２…主翼部、１０…シャボン玉発生装置、１１…アーム部、１２…環状本体、１３…シャボン玉発生穴、１４…リブ、１５…シャボン玉液保持用の溝部。
【図１】
2006141967.tif 000003
【図２】
2006141967.tif 000004
【図３】
2006141967.tif 000005